(57)【要約】【課題】  排水管の入り口から遠い部位の詰まりをも容易に解消することができる排水管洗浄装置を提供する。【解決手段】  詰まりを生じた排水管Pの内部に挿入されるメインパイプ１の先端に、加圧流体により膨らんで排水管Pの内部を封鎖する風船状部材２と、この風船状部材２を貫通してその奥側の排水管内に加圧流体を供給する洗浄ノズル８とを設ける。風船状部材２に供給される加圧流体と洗浄ノズル８に供給される加圧流体とを同一流体としても、あるいは別流体としてもよい。風船状部材２を膨張させて排水管Pの内部を封鎖したうえ、洗浄ノズル８から加圧流体を供給して詰まりを水とともに押し流し解消する。【選択図】    図１
2005133386.tif 000002
【特許請求の範囲】
【請求項１】
排水管の内部に挿入されるメインパイプの先端に、加圧流体により膨らんで排水管の内部を封鎖する風船状部材と、この風船状部材を貫通してその奥側の排水管内に加圧流体を供給する洗浄ノズルとを設けたことを特徴とする排水管洗浄装置。
【請求項２】
風船状部材に供給される加圧流体と、洗浄ノズルに供給される加圧流体とを同一流体としたことを特徴とする請求項１記載の排水管洗浄装置。
【請求項３】
風船状部材に供給される加圧流体と、洗浄ノズルに供給される加圧流体とを別流体としたことを特徴とする請求項１記載の排水管洗浄装置。
【発明の詳細な説明】
【技術分野】
【０００１】
本発明は、公衆トイレや洗面所、あるいは台所などの排水管の詰まりを除去するために用いられる排水管洗浄装置に関するものである。
【背景技術】
【０００２】
公衆トイレやその洗面所などにおいて、使用禁止の張り紙が貼られていることがあり、それが何日も続くと不潔で感じの悪いものである。しかし、そのほとんどは清掃員によっては復旧できない排水管内部の頑固な詰まりが原因であり、専門業者を呼んで復旧作業を行わねばならないため、復旧に時間を要することとなり勝ちである。
【０００３】
排水管の詰まりを除去するための排水管洗浄装置としては、家庭のトイレで使用されている吸盤式の器具がある。しかしこの器具は排水管の入り口付近の詰まりにしか効果がない。しかもバキューム式であるため、ゲージ圧で−１気圧以上の圧力を加えることができず、上記した頑固な詰まりには効果がない。
【０００４】
また特許文献１には、排水管の入り口を封鎖するゴム盤にホースを貫通させ、排水管の内部に水圧を加えて内部の詰まりを押し流すようにした排水管洗浄器具が開示されている。しかしこの排水管洗浄器具も、排水管の入り口付近から排水管内部を加圧する方式であるため、詰まりの位置が排水管の入り口から遠いと詰まり解消の効果が小さい。またゴム盤は摩擦により排水管の入り口を封鎖しているだけであるから、洗浄水圧を高めると突然ゴム盤が外れて水が逆流するおそれがある。
【特許文献１】実用新案登録第３０３６２７８号公報
【発明の開示】
【発明が解決しようとする課題】
【０００５】
本発明は上記した従来の問題点を解決して、排水管の入り口から遠い部位の詰まりをも容易に解消することができる排水管洗浄装置を提供するためになされたものである。
【課題を解決するための手段】
【０００６】
上記の課題を解決するためになされた本発明の排水管洗浄装置は、排水管の内部に挿入されるメインパイプの先端に、加圧流体により膨らんで排水管の内部を封鎖する風船状部材と、この風船状部材を貫通してその奥側の排水管内に加圧流体を供給する洗浄ノズルとを設けたことを特徴とするものである。なお以下の実施形態に示すように、風船状部材に供給される加圧流体と、洗浄ノズルに供給される加圧流体とを同一流体としても、あるいは別流体としてもよい。
【発明の効果】
【０００７】
本発明の排水管洗浄装置は、排水管の内部にメインパイプを挿入し、その先端に設けた風船状部材を加圧流体により膨らませて排水管の内部を封鎖したうえ、この風船状部材を貫通する洗浄ノズルを通じて風船状部材の奥側の排水管内に加圧流体を供給することができる。このため排水管内の詰まりが生じた部位に近い位置で詰まりに対して有効に圧力を加えることができ、排水管の入り口から遠い部位の詰まりを容易に解消することができる。また風船状部材を用いて排水管の内部を封鎖するので、排水管の内部形状に左右されることなく、確実に排水管を密封することができる。しかも風船状部材により排水管の内部を封鎖するため、加圧流体の圧力を高めても入り口側に逆流するおそれがない。
【発明を実施するための最良の形態】
【０００８】
以下に本発明の好ましい実施形態を説明する。
図１と図２は本発明の第１の実施形態を示す図であり、１は詰まりを生じた排水管Ｐの内部に挿入されるフレキシブルなメインパイプ、２はその先端部に設けられた耐圧ゴムチューブ製の風船状部材である。風船状部材２はその内部に加圧流体が供給されていない状態では排水管Ｐの内部を通過させることができるが、加圧流体により膨らむと図２のように排水管Ｐの内部に密着し、排水管Pの内部を封鎖することができる。
【０００９】
この第１の実施形態では加圧流体は圧縮空気である。メインパイプ１の基部には操作レバー３を備えた取手４が設けられており、取手４から延びるホース５の先端はカプラ６を介して移動可能なコンプレッサ７あるいは図示しない圧縮エアタンクに接続できるようになっている。またこの第１の実施形態では、メインパイプ１は風船状部材２の中心を貫通しており、その先端部は風船状部材２の奥側の排水管P内に加圧流体を供給する洗浄ノズル８となっている。
【００１０】
図１に示すように、メインパイプ１が風船状部材２の内部を貫通する部分には、２個の小孔９、１０が形成されているとともに、それらの中間には密閉体１１が設けられている。このため、メインパイプ１の内部に加圧流体である圧縮空気を供給すると、圧縮空気は密閉体１１の手前側の小孔９から風船状部材２の内部に流入して風船状部材２を膨張させるとともに、風船状部材２を通じて小孔１０から洗浄ノズル８の内部に流入する。
【００１１】
このように構成された排水管洗浄装置を用いて排水管P内部の詰まりを除去するには、メインパイプ１に加圧流体を供給しない状態でその先端を排水管Pの内部に挿入する。このときできるだけ深く挿入することが好ましい。次にメインパイプ１に加圧流体である圧縮空気を供給して風船状部材２を膨張させ、排水管Pの内部に密着させる。これと同時に洗浄ノズル８にも圧縮空気が供給され、排水管Pの風船状部材２により密封された部位よりも奥側、すなわち詰まり側に加圧流体である圧縮空気を導入する。排水管Pの手前側は風船状部材２により密封されているので、加圧流体の圧力は排水管Pの内部に滞留している水とともに密閉空間内部で詰まりに対して有効に作用し、詰まりは水と一緒に押し出されて除去される。
【００１２】
このように、本発明によれば風船状部材２による密封部位を詰まりの近傍とすることができるため、加圧流体の圧力を有効に詰まりに作用させることができる。また詰まりを除去できるまで加圧流体の圧力を高めると、それに連れて風船状部材２による密封力を高まるため、圧力が洩れたり、排水管Pから水が逆流してくるおそれもない。この実施形態によれば、風船状部材２に供給される加圧流体と、洗浄ノズル８に供給される加圧流体とを同一流体とし、圧縮空気のみによって詰まりを容易に除去することができる。
【００１３】
図３は本発明の第２の実施形態を示すものである。この第２の実施形態では、メインパイプ１の先端は風船状部材２をそのまま貫通して洗浄ノズル８となっているが、風船状部材２を膨張させるための圧縮空気は別のパイプ１２を通じて風船状部材２内に供給されるようになっている。なお、各パイプ１，１２に基部にはそれぞれバルブ１３，１４が設けられている。
【００１４】
この第２の実施形態の排水管洗浄装置も、第１の実施形態と同様に使用されるものであり、まずメインパイプ１の先端を排水管Pの内部に挿入したうえで、バルブ１４を操作して別のパイプ１２を通じて加圧流体である圧縮空気を供給して風船状部材２を膨張させ、その後にバルブ１３を操作してメインパイプ１を通じて加圧流体である圧縮空気を洗浄ノズル８から排水管P内に供給し、詰まりを除去することができる。
【００１５】
図４は本発明の第３の実施形態を示すものである。この第３の実施形態では、加圧流体として加圧水と圧縮空気とを使用している。すなわち、メインパイプ１には加圧水が供給され、風船状部材２を貫通して洗浄ノズル８に達する。一方、風船状部材２を膨張させるための圧縮空気は別のパイプ１２を通じて風船状部材２内に供給される。なお図４では圧縮空気の供給源として空気ポンプ１５が、加圧水の供給源として水道１６が用いられている。
【００１６】
この第３の実施形態では、加圧流体として加圧水を用いて詰まりを押し流す点が、他の実施形態とは相違している。また上記の各実施形態では何れも、風船状部材２を膨張させるための加圧流体として圧縮空気を用いたが、加圧水を用いて風船状部材２を膨張させることもできる。
【００１７】
以上に述べたように、本発明の排水管洗浄装置を用いれば、排水管Pの入り口から遠い部位の頑固な詰まりをも容易に解消することができるため、従来は専門業者に依頼しなければならなかった公衆トイレや洗面所、台所などの排水管の詰まりを、清掃員などによって容易に除去することが可能となる。
【図面の簡単な説明】
【００１８】
【図１】第１の実施形態を示す説明図である。
【図２】第１の実施形態の使用状態を示す断面図である。
【図３】第２の実施形態の使用状態を示す断面図である。
【図４】第３の実施形態の使用状態を示す断面図である。
【符号の説明】
【００１９】
１  メインパイプ
２  風船状部材
３  操作レバー
４  取手
５  ホース
６  カプラ
７  コンプレッサ
８  洗浄ノズル
９  小孔
１０  小孔
１１  密閉体
１２  別のパイプ
１３  バルブ
１４  バルブ
１５  空気ポンプ
１６  水道
【図１】
2005133386.tif 000003
【図２】
2005133386.tif 000004
【図３】
2005133386.tif 000005
【図４】
2005133386.tif 000006